(57)【要約】【課題】車両を自動で直進走行させて該車両の直進走行性を高めることができる車両の走行制御方法を提供すること。【解決手段】本発明に係る車両１の走行制御方法は、車両１の左右の対地速度ＶＬ，ＶＲを検出し、ドライバの車両を直進させる意志又は車両１の制御に基づいて該車両１を直進させる旨の指令が確認されると、検出された左右の対地速度ＶＬ，ＶＲの偏差|ＶＬ−ＶＲ|が所定範囲内に入るように左右の駆動輪ＷＲＬ，ＷＲＲへの駆動力配分または左右の車輪ＷＦＬ，ＷＦＲ（ＷＲＬ，ＷＲＲ）への制動力配分を制御する。例えば、検出された対地速度ＶＬ，ＶＲが遅い側の駆動輪ＷＲＬ（またはＷＲＲ）の駆動力が他側の駆動輪ＷＲＲ（またはＷＲＬ）の駆動力よりも大きくなるよう制御する。【選択図】図１
2020083161.tif 000002
【特許請求の範囲】
【請求項１】
車両の左右の対地速度を検出し、ドライバの前記車両を直進させる意志又は前記車両の制御に基づいて該車両を直進させる旨の指令が確認されると、検出された左右の前記対地速度の偏差が所定範囲内に入るように左右の駆動輪への駆動力配分または左右の車輪への制動力配分を制御することを特徴とする車両の走行制御方法。
【請求項２】
検出された前記対地速度が遅い側の駆動輪の駆動力が他側の駆動輪の駆動力よりも大きくなるよう駆動力配分を制御することを特徴とする請求項１に記載の車両の走行制御方法。
【請求項３】
検出された前記対地速度が遅い側の車輪の制動力が他側の車輪の制動力よりも小さくなるよう制動力配分を制御することを特徴とする請求項１に記載の車両の走行制御方法。
【請求項４】
ドライバの前記車両を直進させる意志の確認は、ステアリングホイールの操舵角が直進規定値未満であることによってなされることを特徴とする請求項１〜３のいずれかに記載の車両の走行制御方法。
【請求項５】
車両の左右の対地速度を検出する対地速度検出手段と、
ドライバの前記車両を直進させる意志又は前記車両の制御に基づいて該車両を直進させる旨の指令の有無を判定する直進判定手段と、
該直進判定手段によってドライバの前記車両を直進させる意志又は前記車両の制御に基づいて該車両を直進させる旨の指令が確認されると、前記対地速度検出手段によって検出された左右の前記対地速度の偏差が所定範囲内に入るように左右の駆動輪への駆動力配分または左右の車輪への制動力配分を制御する直進走行制御を行う制御手段と、
を備えることを特徴とする車両の走行制御装置。
【請求項６】
前記対地速度検出手段は、レーザドップラ速度計を含んで構成されることを特徴とする請求項５に記載の車両の走行制御装置。
【請求項７】
前記直進意志判定手段は、ステアリング装置と、該ステアリング装置によるステアリングホイールの操舵角を検出する操舵角センサを含んで構成されることを特徴とする請求項５または６に記載の車両の走行制御装置。
【請求項８】
前記制御手段は、左右の前記駆動輪への駆動力を配分するクラッチへの供給油圧を制御するよう構成されていることを特徴とする請求項５〜７のいずれかに記載の車両の走行制御装置。
【請求項９】
前記制御手段は、左右の前記車輪に設けられたブレーキ装置への供給油圧を制御するよう構成されていることを特徴とする請求項５〜８のいずれかに記載の車両の走行制御装置。
【請求項１０】
前記制御手段は、前記車両の少なくとも加減速を自動的に制御する自動運転制御を行う自動運転制御部を有し、
前記制御手段による前記直進走行制御は、前記自動運転制御部による前記自動運転制御の実施中に行われる
ことを特徴とする請求項５〜９のいずれかに記載の車両の走行制御装置。
【発明の詳細な説明】
【技術分野】
【０００１】
本発明は、車両の走行制御方法および走行制御装置に関する。
【背景技術】
【０００２】
近年、目的地までの経路に沿って車両が走行するように、車両の加減速度とステアリングホイールの操舵角の少なくともいずれか一方を自動的に制御する自動運転技術が開発されつつある。このような自動運転技術には、車両が直進走行中であることの検知が不可欠であるが、この検知は、車両に搭載されたヨーレートセンサによって検出されるヨーレート、ＧＰＳ（Global Positioning System）情報、ステアリング装置によるステアリングホイールの操舵角情報などに基づいてなされている（例えば、特許文献１参照）。
【０００３】
また、自動運転技術には、車両の走行速度（車速）の検出が不可欠であるが、従来の車速の検出は、路面に接触するタイヤの回転数を回転センサによって検出し、検出された回転数にタイヤの半径を乗ずることによってなされていた。
【０００４】
しかしながら、上記従来の車速の検出方法では、タイヤが空転またはロックしたり、タイヤが摩耗したりすると、検出精度が低下するという問題があった。
【０００５】
そこで、レーザドップラ速度計を用い、路面に向けて照射されるレーザ光のドップラ効果を利用して路面に非接触で車速を高精度に検出する方法が提案されている（例えば、特許文献２参照）。
【先行技術文献】
【特許文献】
【０００６】
【特許文献１】特開２０１１−０４３３８７号公報
【特許文献２】特開平９−０８０１５４号公報
【発明の概要】
【発明が解決しようとする課題】
【０００７】
ところで、自動運転技術を導入した車両に限らず、ドライバの手動操作によって走行する車両においても、車両を自動で直進走行させることができれば、ドライバによるステアリング操作の負担が軽減するものと考えられる。
【０００８】
特許文献１には、車両が直進走行中であることの検知方法が開示され、特許文献２には、レーザドップラ速度計を用いて車速を高精度に検出する技術は開示されているものの、これらの特許文献１，２には、車両を自動で直進走行させる技術に関しては開示されていない。
【０００９】
本発明は上記事情に鑑みてなされたもので、その目的とする処は、車両を自動で直進走行させることができる車両の走行制御方法および走行制御装置を提供することにある。
【課題を解決するための手段】
【００１０】
上記目的を達成するため、本発明にかかる車両の走行制御方法は、車両（１）の左右の対地速度（ＶＬ，ＶＲ）を検出し、ドライバの前記車両（１）を直進させる意志又は前記車両（１）の制御に基づいて該車両（１）を直進させる旨の指令が確認されると、検出された左右の前記対地速度（ＶＬ，ＶＲ）の偏差（│ＶＬ−ＶＲ│）が所定範囲内に入るように左右の駆動輪（ＷＲＬ，ＷＲＲ）への駆動力配分または左右の車輪（ＷＦＬ，ＷＦＲおよび／またはＷＲＬ，ＷＲＲ）への制動力配分を制御することを特徴とする。
【００１１】
具体的には、検出された前記対地速度（ＶＬ，ＶＲ）が遅い側の駆動輪（ＷＲＬまたはＷＲＲ）の駆動力が他側の駆動輪（ＷＲＲまたはＷＲＬ）の駆動力よりも大きくなるよう駆動力配分を制御するようにしてもよい。
【００１２】
また、検出された前記対地速度（ＶＬ，ＶＲ）が遅い側の車輪（ＷＦＬ，ＷＲＬまたはＷＦＲ，ＷＲＲ）の制動力が他側の車輪（ＷＦＲ，ＷＲＲまたはＷＦＬ，ＷＲＬ）の制動力よりも小さくなるよう制動力配分を制御するようにしてもよい。
【００１３】
そして、ドライバの前記車両（１）を直進させる意志の確認は、ステアリングホイール（７４）の操舵角が直進規定値未満であることによってなされるようにしてもよい。
【００１４】
また、本発明に係る車両の走行制御装置は、車両（１）の左右の対地速度（ＶＬ，ＶＲ）を検出する対地速度検出手段と、ドライバの前記車両（１）を直進させる意志又は前記車両（１）の制御に基づいて該車両（１）を直進させる旨の指令の有無を判定する直進判定手段と、該直進判定手段によってドライバの前記車両（１）を直進させる意志又は前記車両（１）の制御に基づいて該車両（１）を直進させる旨の指令が確認されると、前記対地速度検出手段によって検出された左右の前記対地速度（ＶＬ，ＶＲ）の偏差（│ＶＬ−ＶＲ│）が所定範囲内に入るように左右の駆動輪（ＷＲＬ，ＷＲＲ）への駆動力配分または左右の車輪（ＷＦＬ，ＷＦＲまたはＷＲＬ，ＷＲＲ）への制動力配分を制御する直進走行制御を行う制御手段（１００）と、を備えることを特徴とする。
【００１５】
ここで、前記対地速度検出手段は、レーザドップラ速度計（５）を含んで構成してもよい。
【００１６】
また、前記直進意志判定手段は、ステアリング装置（９２）と、該ステアリング装置（９２）によるステアリングホイール（７４）の操舵角を検出する操舵角センサ（７５）を含んで構成してもよい。
【００１７】
そして、前記制御手段（１００）は、左右の前記駆動輪（ＷＲＬ，ＷＲＲ）への駆動力を配分するクラッチ（ＣＬ，ＣＲ）への供給油圧を制御するよう構成してもよい。
【００１８】
また、前記制御手段（１００）は、左右の前記車輪（ＷＦＬ，ＷＲＬまたはＷＦＲ，ＷＲＲ）に設けられたブレーキ装置（９４）への供給油圧を制御するよう構成してもよい。
【００１９】
また、前記制御手段（１００）は、前記車両（１）の少なくとも加減速を自動的に制御する自動運転制御を行う自動運転制御部（１１０）を有し、前記制御手段（１００）による前記直進走行制御は、前記自動運転制御部（１１０）による前記自動運転制御の実施中に行われるようにしてもよい。
【発明の効果】
【００２０】
本発明によれば、車両の左右の対地速度を検出し、ドライバの車両を直進させる意志又は車両の制御に基づいて該車両を直進させる旨の指令が確認されると、検出された左右の対地速度の偏差が所定範囲内に入るように左右の駆動輪への駆動力配分または左右の車輪への制動力配分を制御するようにしたため、自車両を自動で直進走行させることができる。
【図面の簡単な説明】
【００２１】
【図１】本発明に係る走行制御装置を備える車両の動力伝達経路を模式的に示す平面図である。
【図２】車両の制御装置のシステム構成を示すブロック図である。
【図３】レーザドップラ速度計を用いて車両の対地速度を検出するためのシステム構成図である。
【図４】本発明に係る車両の走行制御方法の手順を示すフローチャートである。
【発明を実施するための形態】
【００２２】
以下に本発明の実施の形態を添付図面に基づいて説明する。
【００２３】
［車両の動力伝達経路］
先ず、本発明に係る制御装置を備える車両の動力伝達経路を図１に基づいて以下に説明する。
【００２４】
すなわち、図１は本発明に係る走行制御装置を備える車両の動力伝達経路を模式的に示す平面図であり、図示の車両１は、自動運転が可能なフロントエンジン・フロントドライブ（エンジン前置き・前輪駆動）方式（ＦＦ方式）を採用する四輪駆動（４ＷＤ）車両である。この車両１は、駆動源であるエンジンＥの駆動力がトランスミッションＭとフロントディファレンシャルＤｆおよび左右の車軸ＡＦＬ，ＡＦＲを経て伝達される主駆動輪としての左右の前輪ＷＦＬ，ＷＦＲと、これらの前輪ＷＦＬ，ＷＦＲの駆動力の一部がトランスファーＴ、プロペラシャフトＰＳ、リヤディファレンシャルＤｒおよび左右の車軸ＡＲＬ，ＡＲＲを経て伝達される副駆動輪としての左右の後輪ＷＲＬ，ＷＲＲを備えている。
【００２５】
上記リヤディファレンシャルＤｒは、プロペラシャフトＰＳから駆動ベベルギヤ２および従動ベベルギヤ３を経てスリーブ４に伝達される駆動力を左車軸ＡＲＬと右車軸ＡＲＲに選択的に伝達するための左クラッチＣＬと右クラッチＣＲを備えている。
【００２６】
ここで、左クラッチＣＬと右クラッチＣＲは、エンジンＥからプロペラシャフトＰＳを経て伝達される駆動力を左右の後輪ＷＲＬ，ＷＲＲにそれぞれ配分（トルク配分）する機能を果たす。具体的には、これらの左クラッチＣＬと右クラッチＣＲには、可変容量型のベーンポンプなどの油圧ポンプから供給される油圧によってＯＮ（締結）／ＯＦＦ（切断）され、これらにそれぞれ供給される油圧（作動油の流量）の比率を変化させることによって、左右の後輪ＷＲＬ，ＷＲＲへの駆動力の配分制御を行うことができる。
【００２７】
また、左右の前輪ＷＦＬ，ＷＦＲと後輪ＷＲＬ，ＷＲＲのそれぞれには、制動手段としてのブレーキ装置９４がそれぞれ設けられている。
【００２８】
［制御装置のシステム構成］
次に、図１に示す車両１に設けられた制御装置のシステム構成を図２に基づいて以下に説明する。
【００２９】
すなわち、図２は制御装置のシステム構成を示すブロック図であり、図示の制御装置１００は、外部状況取得部１２、経路情報取得部１３、走行状態取得部１４などの車両１（図１参照）の外部から各種情報を取り入れるための手段を備えている。
【００３０】
また、制御装置１００は、アクセルペダル７０、ブレーキペダル７２、ステアリングホイール(ハンドル）７４、切替スイッチ８０などの操作デバイスと、アクセル開度センサ７１、ブレーキ踏量センサ（ブレーキスイッチ）７３、ステアリング操舵角センサ（ステアリングトルクセンサ）７５などの操作検出センサと、報知装置（出力部）８２と、乗員識別部（車内カメラ）１５とを備えている。
【００３１】
さらに、制御装置１００は、車両１の駆動と駆動力配分や操舵などを行うための装置として、走行駆動力出力装置（駆動装置）９０と、ステアリング装置９２と、ブレーキ装置９４および左右の後輪ＷＲＬ，ＷＲＲへの駆動力配分を行うクラッチＣＬ，ＣＲ（図１参照）を備えている。これらの装置や機器は、ＣＡＮ（Controller Area Network）通信線などの多重通信線やシリアル通信線、無線通信網などによって互いに接続されている。なお、例示した操作デバイスについてはあくまで一例であり、ボタン、ダイヤルスイッチ、ＧＵＩ（Graphical User Interface）スイッチなどが車両１に搭載されていても構わない。
【００３２】
ここで、各種構成要素について説明する。
【００３３】
（外部状況取得部）
前記外部情報取得部１２は、車両１の外部状況、例えば、走行路の車線や車両周辺の物体などの車両１の周辺の環境情報を取得するものであって、例えば、各種カメラ（単眼カメラ、ステレオカメラ、赤外線カメラなど）や各種レーダ（ミリ波レーダ、マイクロ波レーダ、レーザレーダなど）などを備えている。ここで、カメラによって得られた情報とレーダにより得られた情報を統合するフュージョンセンサを使用することも可能である。
【００３４】
（経路情報取得部）
経路情報取得部１３は、ナビゲーション装置を含んでおり、ナビゲーション装置は、ＧＮＳＳ（Global Navigation Satellite System）受信機や地図情報（ナビ地図）、ユーザインターフェースとして機能するタッチパネル式表示装置、スピーカ、マイクなどを備えている。ここで、ナビゲーション装置は、ＧＮＳＳ受信機によって車両１の位置を特定し、その特定した位置からユーザによって指定された目的地までの経路を導出する。そして、ナビゲーション装置によって導出された経路は、経路情報１４４として記憶部１４０に格納される。なお、車両１の位置は、走行状態取得部１４の出力を利用したＩＮＳ（Inertial Navigation System）によって特定または補完されてもよい。
【００３５】
また、ナビゲーション装置は、制御装置１００が手動運転モードを実行している際に、目的地に至る経路について音声やナビ表示によって案内を行う。なお、車両１の位置を特定するための構成は、ナビゲーション装置とは独立して設けられていてもよい。また、ナビゲーション装置は、例えば、ユーザが保有するスマートフォンやタブレット端末などの端末装置の一機能によって構成されてもよい。この場合、端末装置と制御装置１００との間で無線または有線による通信によって情報の送受信が行われる。
【００３６】
（走行状態取得部）
走行状態取得部１４は、車両１の現在の走行状態を取得するものであって、走行位置取得部２６と、対地速度取得部２８と、ヨーレート取得部３０と、操舵角取得部３２および走行軌道取得部３４を備えている。
【００３７】
＜走行位置取得部＞
走行位置取得部２６は、走行状態の１つである車両１の走行位置と走行姿勢（進行方向）を取得するものであって、各種測位装置、例えば、衛星や路上装置から送信される電磁波を受信して位置情報（緯度、軽度、高度、座標など）を取得する装置（ＧＰＳ受信機、ＧＮＳＳ受信機、ビーコン受信機など）やジャイロセンサや加速度センサなどを備えている。なお、車両１の走行位置は、当該車両１の特定部位を基準として測定される。
【００３８】
＜対地速度取得部＞
対地速度取得部２８は、車両１の対地速度を取得するものであって、これには後述のレーザドップラ速度計５（図３参照）が用いられる。なお、レーザドップラ速度計５を用いた車両１の対地速度の測定システムについては後述する。
【００３９】
＜ヨーレート取得部＞
ヨーレート取得部３０は、走行状態の１つである車両１のヨーレートを取得するものであって、例えば、ヨーレートセンサなどを備えている。
【００４０】
＜操舵角取得部＞
操舵角取得部３２は、車両１の走行状態の１つである操舵角を取得するものであって、例えば、ステアリングシャフトに設けられたステアリング操舵角センサ７５などを備えている。なお、ステアリング操舵角センサ７５によって取得された操舵角に基づいて操舵角速度と操舵角加速度も取得される。
【００４１】
＜走行軌道取得部＞
走行軌道取得部３４は、走行状態の１つである車両１の実走行軌道の情報（実走行軌道）を取得するものであって、メモリを備えており、メモリは、実走行軌道に含まれる一連の点列の位置情報を記憶する。ここで、実走行軌道とは、実際に車両１が走行した軌道（軌跡）を含んでおり、これから走行する予定の軌道、例えば、走行した軌道（軌跡）の進行方向前側の延長線を含んでいてもよい。この場合、延長線は、コンピュータなどにより予測可能である。
【００４２】
（アクセル開度センサ、ブレーキ踏量センサおよびステアリング操舵角センサ）
ところで、操作検出センサであるアクセル開度センサ７１、ブレーキ踏量センサ７３、ステアリング操舵角センサ７５は、検出結果としてのアクセル開度、ブレーキ踏量、ステアリング操舵角をそれぞれ制御装置１００に対して出力する。
【００４３】
(切替スイッチ)
切替スイッチ８０は、車両１の乗員によって操作されるスイッチであって、乗員の操作を受け付け、受け付けた操作内容から運転モード（例えば、自動運転モードと手動運転モード）の切り替えを行う。例えば、切替スイッチ８０は、乗員の操作内容から、車両１の運転モードを指定する運転モード指定信号を生成し、この運転モード指定信号を制御装置１００に対して出力する。
【００４４】
（シフト装置）
シフト装置６０は、運転者によって不図示のシフトレバーを介して操作されるものであって、このシフト装置６０におけるシフトレバーのポジションには、Ｐ（パーキング）、Ｒ（後進走行）、Ｎ（ニュートラル）、Ｄ（自動変速モード（ノーマルモード）での前進走行）、Ｓ（スポートモードでの前進走行）などがある。そして、シフト装置６０の近傍には、シフトポジションセンサ２０５が設けられており、このシフトポジションセンサ２０５は、ドライバによって操作されるシフトレバーのポジション(シフトポジション)を検出する。
【００４５】
（パドルスイッチ）
パドルスイッチ６５は、ステアリングホイール７４の近傍に設けられており、手動運転時（手動運転モード）での手動変速モードでシフトダウンを指示するための−スイッチ（マイナスボタン）６６と、手動変速モードでシフトアップを指示する＋スイッチ（プラスボタン）６７を備えている。
【００４６】
手動運転モードにおける手動変速モード（マニュアルモード）では、−スイッチ６６と＋スイッチ６７の操作信号は、制御装置１００に対して出力され、車両１の走行状態に応じてトランスミッションＭ（図１参照）において設定される変速段のアップシフトまたはダウンシフトが行われる。
【００４７】
（報知装置）
報知装置８２は、情報を出力することができる種々の装置であって、例えば、車両１の乗員に対して、自動運転モードから手動運転モードへの移行を促すための情報を出力する。この報知装置８２としては、例えば、スピーカ、バイブレータ、表示装置、発光装置などの中から少なくとも１つが用いられる。
【００４８】
（乗員識別部）
乗員識別部１５は、例えば、車両１の車室内を撮像可能な車内カメラを備えており、この車内カメラとしては、例えば、ＣＣＤやＣＭＯＳなどの個体撮像素子を利用したデジタルカメラや近赤外光源と組み合わされた近赤外カメラなどが使用される。制御装置１００は、車内カメラによって撮像された画像を取得し、その画像に含まれるドライバの顔の画像から、現在の車両１のドライバを識別する。
【００４９】
（走行駆動力出力装置）
走行駆動力出力装置（駆動装置）９０は、エンジンＥ（図１参照）および該エンジンＥを制御する不図示のＦＩ−ＥＣＵ（Electronic Control Unit）と、トランスミッションＭ（図１参照）と該トランスミッションＭを制御するＡＴ−ＥＣＵを備えて構成されている。なお、これ以外にも、走行駆動力出力装置９０としては、車両１が電動機を駆動源とする電気自動車である場合には、走行用モータおよび該走行用モータを制御するモータＥＣＵによって構成されるものが使用される。また、車両１がハイブリッド自動車である場合には、走行駆動力出力装置９０は、エンジンＥおよびエンジンＥＣＵと走行用モータおよびモータＥＣＵで構成されるものが使用される。
【００５０】
本実施の形態のように、走行駆動力出力装置９０がエンジンＥとトランスミッションＭを備えて構成されている場合には、ＦＩ−ＥＣＵとＡＴ−ＥＣＵは、後述の走行制御部１２０から入力される情報に従って、エンジンＥのスロットル開度やトランスミッションＭのシフト段などを制御し、車両１が走行するための走行駆動力（トルク）を出力する。そして、走行駆動力出力装置９０が走行用モータのみを含む場合、モータＥＣＵは、走行制御部１２０から入力される情報に従って、走行用モータに与えるＰＷＭ信号のデューティ比を調整し、車両１が走行するための走行駆動力（トルク）を出力する。また、走行駆動力出力装置９０がエンジンＥと走行用モータを含む場合、ＦＩ−ＥＣＵとモータＥＣＵの双方は、走行制御部１２０から入力される情報に従って、車両１が走行するための走行駆動力（トルク）を互いに協調して出力する
（ステアリング装置）
ステアリング装置（ＥＰＳ）９２は、例えば、駆動源として電動モータを備えており、電動モータは、例えば、ラックアンドピニオン機構に力を作用させて操舵輪である左右の前輪ＷＦＬ，ＷＦＲ(図１参照）を転舵させる。すなわち、ステアリング装置９２は、走行制御部１２０から入力される情報に従って電動モータを駆動して左右の前輪ＷＦＬ，ＷＦＲを転舵させる。
【００５１】
（ブレーキ装置）
ブレーキ装置９４は、例えば、ブレーキキャリパと、該ブレーキキャリパに油圧を供給する油圧シリンダと、該油圧シリンダに油圧を発生させる電動モータと、制動制御部とを備えた電動サーボブレーキ装置である。この電動サーボブレーキ装置の制動制御部は、走行制御部１２０から入力される情報に従って電動モータを制御し、制動操作に応じた制動力を左右の前輪ＷＦＬ，ＷＦＲと後輪ＷＲＬ，ＷＲＲに対してそれぞれ出力する。
【００５２】
電動サーボブレーキ装置は、ブレーキペダル７２の操作によって発生する油圧をマスタシリンダを介して油圧シリンダに供給する機構をバックアップとして備えていてもよい。なお、ブレーキ装置９４は、以上に説明した電動サーボブレーキ装置に限らず、電子制御式油圧ブレーキ装置であってもよい。この電子制御式油圧ブレーキ装置は、走行制御部１２０から入力される情報に従ってアクチュエータを制御し、マスタシリンダで発生した油圧を油圧シリンダへと伝達する。また、ブレーキ装置９４は、走行駆動力出力装置９０が走行用モータを備える場合は、当該走行用モータによる回生ブレーキを含んでもよい。
【００５３】
［制御装置］
次に、制御装置１００について説明する。この制御装置１００は、自動運転制御部１１０と、走行制御部１２０および記憶部１４０を備えている。
【００５４】
（自動運転制御部）
自動運転制御部１１０は、自車位置認識部１１２と、外界認識部１１４と、行動計画生成部１１６および目標走行状態設定部１１８を備えている。ここで、自動運転制御部１１０の各部、走行走行制御部１２０の一部または全部は、ＣＰＵ（Central Processing Unit）などのプロセッサがプログラムを実行することによって実現される。また、これらのうちの一部または全部は、ＬＳＩ（Large Scale Integration）やＡＳＩＣ（Application Specific Circuit）などのハードウェアによって実現されてもよい。
【００５５】
自動運転制御部１１０は、切替スイッチ８０からの信号の入力に従って運転モードを切り替えて制御を行う。ここで、運転モードとしては、車両１の加速度および操舵を自動的に制御する自動運転モードや、車両１の加速度をアクセルペダル７０やブレーキペダル７２などの操作デバイスに対する操作に基づいて制御し、操舵をステアリングホイール７４などの操作デバイスに対する操作に基づいて制御する手動運転モードがあるが、これらに限定されるものではない。他の運転モードとしては、例えば、車両１の加減速と操舵のうちの一方を自動的に制御し、他方を操作デバイスに対する操作に基づいて制御する半自動運転モードを設定してもよい。
【００５６】
＜自車位置認識部＞
自動運転制御部１１０の自車位置認識部１１２は、記憶部１４０に格納されている地図情報１４２と、外部状況取得部１２、経路情報取得部１３または走行状態取得部１４から入力される情報とに基づいて、車両１が走行している車線（走行車線）および走行車線に対する車両１の相対位置を認識する機能を果たす。
【００５７】
自車位置認識部１１２は、例えば、車両１の基準点（重心など）の走行車線中央からの乖離および車両１の進行方向の走行車線中央を連ねた線に対してなす角度を、走行車線に対する車両１の相対位置として認識する。なお、これに代えて、自車位置認識部１１２は、走行車線の何れかの側端部に対する車両１の基準点の位置などを、走行車線に対する車両１の相対位置と認識してもよい。
【００５８】
＜外界認識部＞
外界認識部１１４は、外部状況取得部１２などから入力される情報に基づいて、周辺車両の位置や速度、加速度などの状態を認識する機能を果たす。本実施の形態における周辺車両とは、車両１の周辺を走行する他の車両であって、車両１と同じ方向に走行する車両である。周辺車両の位置は、車両１の重心やコーナーなどの代表点で表されてもよく、車両１の輪郭で表現された領域によって表されてもよい。ここで、周辺車両の「状態」とは、前記各種機器の情報に基づいて周辺車両の加速度、車線変更をしているか否か（あるいは車線変更をしようとしているか否か）を含んでもよい。また、外界認識部１１４は、周辺車両に加えて、ガードレールや電柱、駐車車両、歩行者、その他の物体の位置を認識してもよい。
【００５９】
＜行動計画生成部＞
行動計画生成部１１６は、自動運転の開始地点、自動運転の終了予定地点、および／または自動運転の目的地を設定する機能を果たす。ここで、自動運転の開始地点は、車両１の現在位置であってもよく、車両１の乗員によって自動運転を指示する操作がなされた地点であってもよい。
【００６０】
行動計画生成部１１６は、自動運転の開始地点と終了予定地点との間の区間や、開始地点と自動運転の目的地との間の区間において行動計画を生成する。なお、これに限定されるものではなく、行動計画生成部１１６は、任意の区間について行動計画を生成してもよい。
【００６１】
行動計画は、例えば、順次実行される複数のイベントで構成される。ここで、イベントには、例えば、車両１を減速させる減速イベントや、車両１を加速させる加速イベント、走行車線を逸脱しないように車両１を走行させるレーンキープイベント、走行車線を変更させる車線変更イベント、車両１に前走車両を追い越させる追い越しイベント、分岐ポイントにおいて所望の車線に変更させたり、現在の走行車線を逸脱しないように車両１を走行させたりする分岐イベント、本線に合流するための合流車線において車両１を加減速させ、走行車線を変更させる合流イベントなどが含まれる。例えば、有料道路（高速道路など）においてジャンクション分岐点が存在する場合、制御装置１００は、車両１を目的地の方向に進行するように車線を変更したり、車線を維持したりする。したがって、行動計画生成部１１６は、地図情報１４２を参照して経路上にジャンクションが存在していると判明した場合、現在の車両１の位置（座標）から当該ジャンクションの位置（座標）までの間に、目的地の方向に進行することができる所望の車線に車線変更するための車線変更イベントを設定する。なお、行動計画生成部１１６によって生成された行動計画を示す情報は、行動計画情報１４６として記憶部１４０に格納される。
【００６２】
（目標走行状態設定部）
目標走行状態設定部１１８は、行動計画生成部１１６によって生成された行動計画と、外部状況取得部１２、経路情報取得部１３および走行状態取得部１４によって取得された各種情報に基づいて、車両１の目標とする走行状態である目標走行状態を設定する機能を果たす。この目標状態設定部１１８は、目標値設定部５２と、目標軌道設定部５４と、偏差取得部４２および補正部４４を備えている。
【００６３】
＜目標値設定部＞
目標値設定部５２は、車両１が目標とする走行位置（緯度、経度、高度、座標など）の情報（単に「目標位置」とも言う）、車速の目標値情報（単に「目標車速」とも言う）、ヨーレートの目標値情報（単に「目標ヨーレート」とも言う）を設定するように構成されている。
【００６４】
＜目標軌道設定部＞
目標軌道設定部５４は、外部状況取得部１２によって取得される外部状況と経路情報取得部１３によって取得される走行経路情報に基づいて、車両１の目標軌道の情報（単に「目標軌道」とも言う）を設定するように構成されている。ここで、目標軌道は、単位時間毎の目標位置の情報を含む。そして、各目標位置には、車両１の姿勢情報（進行方向）が対応づけられる。また、各目標位置に、車速、加速度、ヨーレート、横Ｇ、操舵角、操舵角速度、操舵角加速度などの目標値情報が対応づけられていてもよい。なお、上述の目標位置、目標車速、目標ヨーレートおよび目標軌道は、車両１の目標走行状態を示す情報である。
【００６５】
＜偏差取得部＞
偏差取得部４２は、目標走行状態設定部１１８で設定される車両１の目標走行状態と、走行状態取得部１４で取得される車両１の実走行状態とに基づいて、車両１の目標走行状態に対する実走行状態の偏差を取得する機能を果たす。
【００６６】
＜補正部＞
補正部４４は、偏差取得部４２によって取得される偏差に応じて車両１の目標走行状態を補正する機能を果たすものである。
【００６７】
（走行制御部）
走行制御部１２０は、車両１の走行を制御する機能を果たすものであって、加減速指令部５６と、操舵指令部５７と、駆動力配分指令部５８および制動力配分指令部５９を備えており、車両１の走行状態を、目標走行状態設定部１１８によって設定された車両１の目標走行状態または補正部４４によって設定された新たな目標走行状態に一致或いは近づけるように走行制御の指令値を出力する。
【００６８】
＜加減速指令部＞
加減速指令部５６は、車両１の走行制御のうち、加減速制御を行うように構成されている。具体的には、加減速指令部５６は、目標走行状態設定部１１８または補正部４４によって設定された目標走行状態（目標加減速度）と実走行状態（実加減速度）とに基づいて、車両１の走行状態を目標走行状態に一致させるための加減速度指令値を演算する。
【００６９】
＜操舵指令部＞
操舵指令部５７は、車両１の走行制御のうち、操舵制御を行うように構成されている。具体的には、操舵指令部５７は、目標走行状態設定部１１８または補正部４４によって設定された目標走行状態と実走行状態とに基づいて、車両１の走行状態を目標走行状態に一致させるための操舵角速度指令値を演算する。
【００７０】
＜駆動力配分指令部＞
駆動力配分指令部５８は、車両１の走行制御のうち、後輪ＷＲＬ，ＷＲＲ（図１参照）への駆動力配分制御を行うように構成されている。具体的には、駆動力配分指令部５８は、走行状態取得部１４に設けられた対地速度取得部２８によって取得された車両１の左右の対地速度がほぼ等しくなる（両者の偏差がほぼ０となる）ための駆動力配分指令値を演算する。そして、この演算された駆動力配分指令値に基づいて左右のクラッチＣＬ，ＣＲへの油圧（作動油の流量）が制御されて、左右の後輪ＷＲＬ，ＷＲＲへの駆動力配分が指令値に設定される。なお、これについての詳細は後述する。
【００７１】
＜制動力配分指令部＞
制動力配分指令部５９は、車両１の走行制御のうち、前輪ＷＦＬ，ＷＦＲおよび／または後輪ＷＲＬ，ＷＲＲ（図１参照）への制動力配分制御を行うように構成されている。具体的には、制動力配分指令部５９は、走行状態取得部１４に設けられた対地速度取得部２８によって取得された車両１の左右の対地速度がほぼ等しくなる（両者の偏差がほぼ０となる）ための制動力配分指令値を演算する。そして、この演算された制動力配分指令値に基づいてブレーキ装置９４へのブレーキ油圧が制御されて、左右の前輪ＷＦＬ，ＷＦＲおよび／または後輪ＷＲＬ，ＷＲＲへの制動力配分が指令値に設定される。なお、これについての詳細は後述する。
【００７２】
（記憶部）
記憶部１４０は、ＲＯＭ（Read Only Memory）やＲＡＭ（Random Access Memory）、ＨＤＤ（Hard Disk Drive）、フラッシュメモリなどで構成されており、これには地図情報１４２と、経路情報１４４および行動計画情報１４６が格納されている。なお、プロセッサが実行するプログラムは、予め記憶部１４０に格納されていてもよく、車載インターネット設備などを介して外部装置からダウンロードされてもよい。また、プログラムは、当該プログラムを格納した可般型記憶媒体が不図示のドライブ装置に装着されることによって、記憶部１４０にインストールされてもよい。
【００７３】
ここで、地図情報１４２は、例えば、経路情報取得部１３が有するナビ地図よりも高精度な地図情報であり、車線の中央の情報あるいは車線の境界の情報などを含んでいる。より具体的には、地図情報１４２には、道路情報や交通規制情報、住所情報（住所・郵便番号）、施設情報、電話番号情報などが含まれる。道路情報には、高速道路、有料道路、国道、都道府県道といった道路の種別を表す情報や、道路の車線数、各斜線の幅員、道路の勾配、道路の位置（経度、緯度、高さを含む３次元座標）、車線のカーブの曲率、車線の合流および分岐ポイントの位置、道路に設けられた標識などの情報が含まれる。また、交通規制情報には、工事や交通事故、渋滞などによって車線が封鎖されているといった情報が含まれる。
【００７４】
次に、本発明に係る車両の走行制御装置とこれを用いた車両の走行制御方法について説明する。
【００７５】
［車両の走行制御装置］
本発明に係る車両の走行制御装置は、車両１の左右の対地速度ＶＬ，ＶＲ（図１参照）を検出する対地速度検出手段としてのレーザドップラ速度計５（図３参照）と、ドライバの車両１を直進させる意志の有無を判定する直進意志判定手段と、該直進意志判定手段によってドライバの車両１を直進させる意志が確認されると、前記レーザドップラ速度計５によって検出された左右の対地速度ＶＬ，ＶＲの偏差│ＶＬ−ＶＲ│が所定範囲（直進判定値）内に入るように（左右の対地速度ＶＬ，ＶＲがほぼ等しくなるように（ＶＬ≒ＶＲ））左右の駆動輪（本実施の形態では、左右の後輪ＷＲＬ，ＷＲＲ（図１参照））への駆動力配分または前輪ＷＦＬ，ＷＦＲおよび／または後輪ＷＲＬ，ＷＲＲへのブレーキ装置９４による制動力配分を制御する制御手段としての車両制御装置１００を含んで構成されている。
【００７６】
ここで、前記レーザドップラ速度計５を用いて車両１の左右の対地速度ＶＬ，ＶＲを検出する原理を図３に基づいて説明する。
【００７７】
すなわち、図３はレーザドップラ速度計を用いて車両の対地速度を検出するためのシステム構成図であり、レーザドップラ速度計５（図３には１つのみ図示）は、車両１の左右にそれぞれ配置されている。そして、各レーザドップラ速度計５には、増幅器６と周波数検出器７および車速算出手段８が順次接続されている。なお、増幅器６は、オペアンプなどによって構成され、周波数検出器７は、例えば、Ａ／Ｄコンバータ、デジタルカウンタなどによって構成されている。また、車速算出手段８は、例えばマイクロコンピュータなどで構成されている。
【００７８】
上記構成において、各レーザドップラ速度計５から路面に対して斜めに出射するレーザ光は、路面で反射し、その反射光がレーザドップラ速度計５によって受光される。ここで、反射光には、ドップラ効果によって対地速度ＶＬ，ＶＲの影響を受けた周波数の成分が含まれており、この反射光がレーザドップラ速度計５の不図示のレーザダイオードによって受光されると、該レーザダイオードからはドップラ周波数の鋸歯状波信号が出力される。
【００７９】
そして、レーザダイオードから出力される鋸歯状波信号は、増幅器６によって増幅されて周波数検出器７へと送信され、該周波数検出器７においてデジタル化され、そのパルス数がカウントされる。このカウントされたパルス数がドップラ周波数のデータとして車速算出手段８へと出力されると、該車速算出手段８は、記憶しているプログラムに従って、ドップラ周波数のデータから対地速度ＶＬ，ＶＲを算出する。
【００８０】
ドライバの車両１を直進させる意志の有無を判定する直進意志判定手段は、図２に示すステアリング装置９２と、該ステアリング装置９２によるステアリングホイール７４の操舵角を検出するステアリング操舵角センサ７５と、該ステアリング操舵角センサ７５によって検出された操舵角が微小な直進規定値未満であるか否かを判定する車両制御装置１００によって構成されている。
【００８１】
［車両の走行制御方法］
次に、以上説明した走行制御装置を用いて実施される車両１の走行制御方法について説明する。
【００８２】
本発明に係る車両１の走行制御方法は、車両１の左右の対地速度ＶＬ，ＶＲを検出し、ドライバの車両を直進させる意志が確認されると、検出された左右の対地速度ＶＬ，ＶＲの偏差│ＶＬ−ＶＲ│が所定範囲内に入るように左右の後輪ＷＲＬ，ＷＲＲへの駆動力配分または左右の前輪ＷＦＬ，ＷＦＲ及び／または後輪ＷＲＬ，ＷＲＲへの制動力配分を制御することを特徴とするものであって、その詳細を図４に基づいて以下に説明する。なお、以下においては、図１に示す車両１の運転モードが手動運転モードに設定されているものとして説明する。この手動運転モードにおいては、ステアリングホイール７４による操舵操作は、ドライバによってなされる。
【００８３】
図４は本発明に係る車両の走行制御方法の手順を示すフローチャートであり、同図に示すように、制御が開始されると（ステップＳ１）、図２に示すステアリング操舵角センサ７５によって検出されるステアリングホイール７４の操舵角（図４には「ＥＰＳ舵角」と表示）が微小な所定の直進規定値未満であるか否か、つまり、ドライバが車両１を直進させる意思があるか否かが判定される（ステップＳ２）。操舵角(ＥＰＳ舵角)が直進規定値未満である場合（ステップＳ２：Ｙｅｓ）には、ドライバによるステアリン操作は殆ど行われないためにドライバが車両１を直進させる意思があるものと判定される。
【００８４】
上述のようにドライバが車両１を直進させる意思があるものと判定されると、図３に示すレーザドップラ速度計５によって検出された車両１の左右の対地速度ＶＬ，ＶＲの偏差│ＶＬ−ＶＲ│が所定の直進判定値未満であるか否かが判定される（ステップＳ３）。ここで、直進判定値は、０に近い微小な値であり、対地速度ＶＬ，ＶＲの偏差│ＶＬ−ＶＲ│がこの微小な直進判定値未満である場合（ステップＳ３：Ｙｅｓ）には、左右の対地速度ＶＬ，ＶＲはほぼ同じであるため（ＶＬ≒ＶＲ）、車両１は直進しているものと判断されて何ら制御はなされない（ステップＳ７）。また、ステップＳ２での判定において、ステアリング操舵角センサ７５によって検出される操舵角（ＥＰＳ舵角）が直進規定値以上であるとき（ステップＳ２：Ｎｏ）には、ドライバによって車両１は旋回操舵されているものと判断され、何ら制御はなされない（ステップＳ７）。なお、車両１の走行中は、左右の対地速度ＶＬ，ＶＲは、レーザドップラ速度計５によって常時検出されている。
【００８５】
他方、車両１の左右の対地速度ＶＬ，ＶＲの偏差│ＶＬ−ＶＲ│が直進判定値以上である場合（ステップＳ３：Ｎｏ）には、車両１が直進走行から外れて軌道ずれを発生しているものと判断され、以下の直進制御がなされる。この直進制御においては、左右の対地速度ＶＬ，ＶＲの偏差│ＶＬ−ＶＲ│が所定範囲（直進判定値）内に入るように（左右の対地速度ＶＬ，ＶＲがほぼ等しくなるように（ＶＬ≒ＶＲ））左右の駆動輪（本実施の形態では、左右の後輪ＷＲＬ，ＷＲＲ（図１参照））への駆動力配分または前輪ＷＦＬ，ＷＦＲおよび／または後輪ＷＲＬ，ＷＲＲへのブレーキ装置９４による制動力配分が制御される。
【００８６】
すなわち、車両１の左右の対地速度ＶＬ，ＶＲの偏差│ＶＬ−ＶＲ│が直進判定値以上の大きな値を示す場合（ステップＳ３：Ｎｏ）には、左側の対地速度ＶＬが右側の対地速度ＶＲよりも大きいか否か（ＶＬ＞ＶＲ？）が判定される（ステップＳ４）。この判定の結果、左側の対地速度ＶＬが右側の対地速度ＶＲよりも大きい場合（ステップＳ４：Ｙｅｓ）には、対地速度が遅い側の右側の後輪ＷＲＲへの駆動力が増加するような駆動力配分制御がなされる（ステップＳ５）。具体的には、図２に示す走行制御部１２０に設けられた駆動力配分指令部５８から図１に示す左右のクラッチＣＬ，ＣＲに対して駆動力配分制御信号が出力され、右側のクラッチＣＲへの供給油圧（作動油の流量）が左側のクラッチＣＬへの供給油圧（作動油の流量）よりも高められる。この結果、右側の対地速度ＶＲが上昇して左側の対地速度ＶＬとほぼ同等となり（ＶＬ≒ＶＲ）、これによって車両１の直進走行性が高められる。
【００８７】
あるいは、左側の対地速度ＶＬが右側の対地速度ＶＲよりも大きい場合（ステップＳ４：Ｙｅｓ）には、対地速度が遅い側の右側の前輪ＷＦＲおよび／または後輪ＷＲＲへの制動力が減少するような制動力配分制御がなされる（ステップＳ５）。具体的には、図２に示す走行制御部１２０に設けられた制動力配分指令部５９から図１に示すブレーキ装置９４に対して制動力配分制御信号が出力され、右側のブレーキ装置９４への供給油圧が左側のブレーキ装置９４への供給油圧よりも下げられる。この結果、右側の対地速度ＶＲが上昇して左側の対地速度ＶＬとほぼ同等となり（ＶＬ≒ＶＲ）、これによって車両１の直進走行性が高められる。
【００８８】
他方、ステップＳ４での判定の結果、左側の対地速度ＶＬが右側の対地速度ＶＲよりも小さい場合（ステップＳ４：Ｎｏ）には、対地速度が遅い側の左側の後輪ＷＦＬへの駆動力が増加するような動力配分制御がなされる（ステップＳ６）。具体的には、図２に示す走行制御部１２０に設けられた駆動力配分指令部５８から図１に示す左右のクラッチＣＬ，ＣＲに対して駆動力配分制御信号が出力され、左側のクラッチＣＬへの供給油圧（作動油の流量）が右側のクラッチＣＲへの供給油圧（作動油の流量）よりも高められる。この結果、左側の対地速度ＶＬが上昇して右側の対地速度ＶＲとほぼ同等となり（ＶＬ≒ＶＲ）、これによって車両１の直進走行性が高められる。
【００８９】
あるいは、右側の対地速度ＶＲが左側の対地速度ＶＬよりも大きい場合（ステップＳ４：Ｎｏ）には、対地速度が速い側の左側の前輪ＷＦＬおよび／または後輪ＷＲＬへの制動力が減少するような制動力配分制御がなされる。具体的には、図２に示す走行制御部１２０に設けられた制動力配分指令部５９から図１に示すブレーキ装置９４に対して制動力配分制御信号が出力され、左側のブレーキ装置９４への供給油圧が右側のブレーキ装置９４への供給油圧よりも下げられる。この結果、左側の対地速度ＶＬが上昇して右側の対地速度ＶＲとほぼ同等となり（ＶＬ≒ＶＲ）、これによって車両１の直進走行性が高められる。
【００９０】
以上のように、本発明によれば、車両１の左右の対地速度ＶＬ，ＶＲを検出し、ドライバの車両１を直進させる意志が確認されると、検出された左右の対地速度ＶＬ，ＶＲの偏差│ＶＬ−ＶＲ│が所定範囲内に入るように左右の駆動輪である後輪ＷＲＬ，ＷＲＲへの駆動力配分または左右の前輪ＷＦＬ，ＷＦＲおよび／または後輪ＷＲＬ，ＷＲＲへの制動力配分を制御するようにしたため、車両１を自動で直進走行させることができ、例えば、車両１が横風を受けたときや、片輪のみが轍にはまったような場合には特に有効である。
【００９１】
なお、以上は本発明をエンジンを駆動源とする車両の走行制御方法と走行制御装置について説明したが、本発明は、電動機を駆動源とする電気自動車や、エンジンと電動機を駆動源とするハイブリッド自動車の走行制御方法と走行制御装置に対しても同様に適用可能である。また、上記実施形態では、ドライバの車両を直進させる意志があると判断した場合に駆動力配分又は制動力配分の制御によって車両を直進させる制御を行う場合を説明したが、これ以外にも、本発明にかかる駆動力配分又は制動力配分の制御によって車両を直進させる制御は、車両の操舵又は駆動力を自動的に制御する自動運転制御の実施中に実行することもできる。またその場合には、自動運転制御において車両を直進させる旨の指令が出されたことを条件に当該車両を直進させる制御を行うことが可能である。
【００９２】
その他、本発明は、以上説明した実施の形態に適用が限定されるものではなく、特許請求の範囲および明細書と図面に記載された技術的思想の範囲内で種々の変形が可能である。
【符号の説明】
【００９３】
１              車両
５              レーザドップラ速度計
２８            対地速度取得部
５８            駆動力配分指令部
５９            制動力配分指令部
７４            ステアリングホイール
７５            ステアリング操舵角センサ
９２            ステアリング装置
９４            ブレーキ装置
１００          制御装置（制御手段）
ＣＬ，ＣＲ      クラッチ
ＶＬ，ＶＲ        対地速度
ＷＦＬ，ＷＦＲ  前輪
ＷＲＬ，ＷＲＲ  後輪（駆動輪）
【図１】
2020083161.tif 000003
【図２】
2020083161.tif 000004
【図３】
2020083161.tif 000005
【図４】
2020083161.tif 000006